(57)【要約】  本発明は、非常ドア開放装置であって、ハンドル（１）が設けられていて、該ハンドル（１）が旋回可能にドアに支承されており、この場合支承がドア錠のプレートの上側領域において行われている形式のものに関する。このような形式の非常ドア開放装置において本発明の構成では、ユニバーサル支持体（２）が設けられていて、該ユニバーサル支持体（２）に、ハンドル（１）の枢着領域（４）を支承するためのブラケット（３）が形成されており、ユニバーサル支持体（２）が、使用される種々様々なドア錠の種々異なった寸法に適合できるように形成されていて、少なくとも１つのカバー（７，８）と組合せ可能である。
2007527967.tif 000002
【特許請求の範囲】
【請求項１】
非常ドア開放装置であって、ハンドル（１）が設けられていて、該ハンドル（１）が旋回可能にドアの幅にわたって支承されており、この場合支承がドア錠のプレートの上側領域において行われている形式のものにおいて、ユニバーサル支持体（２）が設けられていて、該ユニバーサル支持体（２）に、ハンドル（１）の枢着領域（４）を支承するためのブラケット（３）が形成されており、ユニバーサル支持体（２）が、使用される種々様々なドア錠の種々異なった寸法に適合できるように形成されていて、少なくとも１つのカバー（７，８）と組合せ可能であることを特徴とする非常ドア開放装置。
【請求項２】
ユニバーサル支持体（２）が金属薄板型押し部品として又はダイカスト成形品として形成されている、請求項１記載の非常ドア開放装置。
【請求項３】
ユニバーサル支持体（２）が、錠（６）の成形シリンダのための複数の接続開口（５）を備えて形成されている、請求項１又は２記載の非常ドア開放装置。
【請求項４】
ブラケット（３）のためのカバー（７）が設けられている、請求項１から３までのいずれか１項記載の非常ドア開放装置。
【請求項５】
プレートの形をしたカバー（８）が設けられている、請求項１から４までのいずれか１項記載の非常ドア開放装置。
【請求項６】
プレートカバー（８）が長いプレートとして形成されている、請求項５記載の非常ドア開放装置。
【請求項７】
プレートカバー（８）が短いプレートとして形成されている、請求項５記載の非常ドア開放装置。
【請求項８】
プレートカバー（８）が金属薄板プレートとして形成されている、請求項５記載の非常ドア開放装置。
【請求項９】
非常ドア開放装置がモジュール状に形成されている、請求項１から８までのいずれか１項記載の非常ドア開放装置。
【請求項１０】
カバー（７）及び枢着領域（４）がその外側形状において異なった構成を有することができる、請求項１から９までのいずれか１項記載の非常ドア開放装置。
【発明の詳細な説明】
【技術分野】
【０００１】
本発明は、請求項１の上位概念部に記載された形式の非常ドア開放装置、すなわち非常ドア開放装置であって、ハンドルが設けられていて、該ハンドルが旋回可能にドアの幅にわたって支承されており、この場合支承がドア錠のプレートの上側領域において行われている形式のものに関する。
【０００２】
非常ドアを開放するための装置は、種々様々な実施形態のものが従来技術に基づいて公知である。例えばＤＥ８２３３９２０Ｕ１、ＤＥ７９３６６８０Ｕ１又はＤＥ３２１３６６８Ａ１を挙げることができる。
【０００３】
非常ドア開放装置ではドアの内側にハンドルが支承されていて、このハンドルは押圧時に自動的にドアをロック解除し、使用者がドアを非常時に問題なく開放して部屋から出ることができるようになっている。
【０００４】
従来技術に基づいて公知の解決策において分かっている欠点としては次のことが挙げられる。すなわちこれら公知の解決策は、別個に設計され、ひいては錠及びその他のパーツと一緒にセットでしか取り付けることができないか又は、既存のドアに後付けするために、大がかりな改造処置が必要である。
【０００５】
本発明の課題は、冒頭に述べた形式の非常ドア開放装置を改良して、単純な構造と安価な製造可能性とを有していて、ユニバーサルに使用可能であり、しかも特に、種々異なったドア錠及びドアと組合せ可能である非常ドア開放装置を提供することである。
【０００６】
この課題を解決するために本発明の構成では、冒頭に述べた形式の非常ドア開放装置において、請求項１の特徴部に記載のように、すなわちユニバーサル支持体が設けられていて、該ユニバーサル支持体に、ハンドルの枢着領域を支承するためのブラケットが形成されており、ユニバーサル支持体が、使用される種々様々なドア錠の種々異なった寸法に適合できるように形成されていて、少なくとも１つのカバーと組合せ可能であるようにした。
【０００７】
本発明の別の有利な構成は、請求項２以下に記載されている。
【０００８】
本発明によれば、ユニバーサル支持体が設けられていて、該ユニバーサル支持体に、ハンドルの枢着領域を支承するためのブラケットが形成されている。これによりドアにユニバーサル支持体を固定することによって、本発明による装置は簡単かつ運転確実に組み立てられかつ取り付けられることができる。種々様々なドア錠への適合、特にドアハンドルの中心軸線と錠の中心軸線との間における種々異なった間隔への適合を可能にするために、本発明によればユニバーサル支持体は、使用される種々様々なドア錠の種々異なった寸法に適合できるように相応に構成されている。
【０００９】
本発明によればユニバーサル支持体はまた、種々異なったデザインのカバーと組合せ可能である。
【００１０】
従って本発明によれば、ただ１つのユニバーサル支持体を使用して、種々様々なドア錠及びドア錠の種々異なった寸法においても、非常ドア開放装置の取付けが可能である。
【００１１】
特に有利な構成では、ユニバーサル支持体が金属薄板型押し部品として形成されている。ユニバーサル支持体は少なくとも１つのカバーを用いて被覆可能であり、視覚的に隠すことができるので、ユニバーサル支持体自体は高い視覚的な要求を満たす必要はない。これによって製造コストは著しく減じられる。
【００１２】
本発明の有利な構成では、ユニバーサル支持体に、種々様々なドア錠及び／又は種々様々な錠（シリンダ錠）のための複数の接続開口が設けられている。これによってただ１つのユニバーサル支持体を用いて、可能なすべての使用例をカバーすることができる。この場合有利には、ユニバーサル支持体が付加的に、ねじ又はこれに類したもののための多数の取付け開口を備えており、このようになっていると、それぞれの錠構造への適合を保証することができる。
【００１３】
本発明の有利な構成では、ブラケットのためのカバーが設けられている。このカバーは、種々様々な多くの構成形態及び構成デザインのために使用されることができ、またプレートの形をした第２のカバー（ドアプレート）が設けられていると有利である。このプレートの形をした別のカバーは、長いプレート又は短いプレートとして形成されていることができ、これらのプレートカバーはまた、錠のための開口を備えていないブラインドプレートとして形成されることもできる。
【００１４】
両方のカバーが支持機能を有する必要がないこと、ひいては単にカバー及び化粧板として働くだけなので、カバーを簡単かつ安価に、例えばプラスチック射出成形品又はダイカスト部品として製造することができる。そしてその都度所望の表面デザイン又はカラーバリエーションを特に簡単に得ることができる。
【００１５】
上に述べたように本発明による非常ドア開放装置は特に簡単にモジュールとして準備することができる。それというのは、ハンドル及びその枢着領域をも種々様々なデザイン上の要求に合わせることができるからである。さらにまた、ハンドル及び各枢着領域をモジュール状に種々様々に寸法設定すること、例えば直径、横断面、曲率半径（特に枢着領域における）等に関して、寸法設定することが可能である。
【００１６】
従って本発明によって、安価に製造可能であり、極めて高い運転確実性を有し、かつユニバーサルに使用することができる非常ドア開放装置を得ることができる。
【００１７】
次に図面を参照しながら本発明の実施例を説明する。
【００１８】
図１は、本発明による非常ドア開放装置の１実施例を分解して示す斜視図であり、
図２は、完全に取り付けられた本発明による非常ドア開放装置を部分的に示す斜視図であり、
図３は、組み立てられた本発明による非常ドア開放装置全体を示す斜視図である。
【００１９】
本発明による装置は管状のハンドル１を有していて、このハンドル１の両端部領域にはそれぞれ１つの円弧状の枢着領域４が固定されている。この固定は、受容部を有する枢着領域４をハンドル１に簡単に差し込むことによって実現することができる。ハンドル１の短縮又は延長によって、ドアの幅に容易に合わせることが可能である。
【００２０】
本発明はさらにユニバーサル支持体２を有しており、このユニバーサル支持体２にはブラケット３が形成されている。有利にはユニバーサル支持体２はブラケット３と一緒に、金属薄板曲げ部品又は金属薄板型押し部品又は射出成形品として構成されている。このユニバーサル支持体２は、種々様々に配置された閉鎖シリンダの錠６（図１には図示せず）のための複数の接続開口５を有している。ユニバーサル支持体２をドア及び／又はドア錠とねじ結合するために、さらに複数の取付け開口１０が設けられている。
【００２１】
ブラケット３はさらに枢着領域４のための旋回軸９を有している。操作機構の詳細な図示は、公知であるので省略されている。
【００２２】
本発明によればブラケット３のためのカバー７が設けられており、このカバー７はブラケット３もしくはユニバーサル支持体２にクリップ結合可能又は他の形式で固定可能である。カバー７は種々異なった形状を有しており、これによって、周りのデザインに問題なく合わせることができ、この場合固定形式は常に同じである。
【００２３】
さらに本発明は、錠６（図２参照）用の開口１１を備えたプレートの形のカバー８を有している。このカバー８もまたクリップ結合可能、差込み可能又はその他の形式で固定可能である。非常ドア開放装置の、錠６とは反対の側に対しては、このような開口１１を備えていないカバー８が設けられている（図１の左側部分参照）。カバー７及びカバー８はそれぞれ別個にユニバーサル支持体２に固定可能である。
【００２４】
図２に示された取り付けられた状態から、取り付けられた状態における個々の部材の対応関係が分かる。さらにＳＶＰ錠（Selbstverriegelndes Panikschloss：セルフロック式の非常用錠）が成形フレームの内部に示されている。図３には、図１と同様の図示で、組み立てられた状態における非常ドア開放装置の全体が斜視図で示されている。
【図面の簡単な説明】
【００２５】
【図１】本発明による非常ドア開放装置の１実施例を分解して示す斜視図である。
【図２】取り付けられた本発明による非常ドア開放装置を部分的に示す斜視図である。
【図３】組み立てられた本発明による非常ドア開放装置全体を示す斜視図である。
【符号の説明】
【００２６】
１  ハンドル、  ２  ユニバーサル支持体、  ３  ブラケット、  ４  枢着領域、  ５  接続開口、  ６  錠、  ７  カバー、  ８  カバー／プレート、  ９  旋回軸、  １０  取付け開口、  １１  開口
【図１】
2007527967.tif 000003
【図２】
2007527967.tif 000004
【図３】
2007527967.tif 000005
【国際調査報告】
2007527967.tif 000006
2007527967.tif 000007
2007527967.tif 000008
2007527967.tif 000009
2007527967.tif 000010
2007527967.tif 000011